(57)【要約】【課題】配管類を竪樋に沿ってその後側に隠して体裁良く配設することができ、同配管類を簡単に配設することもできる竪樋装置を提供する。【解決手段】建物外壁１に支持具２を介し竪樋３を取り付けて同建物外壁１と竪樋３との間に配管スペースＳを形成し、この配管スペースＳの両側方開口を開閉する蓋板４を前記支持具２に着脱自在に付設した。この場合、竪樋３を保持する保持部５とこの保持部５から後方へ突設されて建物外壁１に固定される取付脚部６とで支持具２が形成され、この支持具２の取付脚部６に対して蓋板４が着脱自在に付設される。【選択図】図１
2008121326.tif 000002
【特許請求の範囲】
【請求項１】
建物外壁に支持具を介し竪樋を取り付けて同建物外壁と竪樋との間に配管スペースを形成し、この配管スペースの両側方開口を開閉する蓋板を前記支持具に着脱自在に付設してなる竪樋装置。
【請求項２】
竪樋を保持する保持部とこの保持部から後方へ突設されて建物外壁に固定される取付脚部とで支持具が形成され、この支持具の取付脚部に対して蓋板が着脱自在に付設されるようになしたことを特徴とする請求項１記載の竪樋装置。
【請求項３】
支持具の取付脚部に交差してその両側方へ突出する連結バー材を取り付け、この連結バー材の両側方端に係止受け部を形成し、蓋板の裏面中程に上下長手方向にわたる係止部を形成して、この係止部を同係止受け部に着脱自在に係合させることにより、前記取付脚部に対して蓋板が着脱自在に付設されるようになしたことを特徴とする請求項２記載の竪樋装置。
【請求項４】
蓋板の裏面中程に上下長手方向で間隔をあけて複数の結合バー材を裏方へ突設し、各結合バー材の裏方先端に係着部を形成して、この係着部を支持具の取付脚部に着脱自在に係合させることにより、同取付脚部に対して蓋板が着脱自在に付設されるようになしたことを特徴とする請求項２記載の竪樋装置。
【発明の詳細な説明】
【技術分野】
【０００１】
本願発明は、空調機などのダクトやケーブルのような配管類を竪樋に沿ってその後側に隠して配設できるようにした竪樋装置に関するものである。
【背景技術】
【０００２】
従来、一般に、空調機などのダクトやケーブルのような配管類は、建物外壁において雨水排水用の竪樋とは別にこれと平行に取り付けられていた。この場合、建物外壁に竪樋とは別に配管類が露出して煩雑であり、建物外観に支障を来たすという問題があった。
【０００３】
そこで、本出願人は、特開平４−３５７２５８号公報（特許文献１）に示すような雨樋保持装置を提案した。このものは、図５に示すように、建物外壁１に支持具２を介し竪樋３を取り付け、竪樋３と支持具２との間に配管類Ｄを挟持するようにしたものである。この場合、竪樋３を保持する保持部５とこの保持部５から後方へ突設されて建物外壁１に固定される取付脚部６とで支持具２が形成され、竪樋３の後壁部分には凹曲部２６が形成されて、配管類Ｄは同凹曲部２６内に収容されて挟持されるものである。したがって、この雨樋保持装置では、配管類Ｄが竪樋３の後側に隠し納められて体裁良く、建物外壁１は煩雑とならず外観良好となる。
【特許文献１】特開平４−３５７２５８号公報
【発明の開示】
【発明が解決しようとする課題】
【０００４】
しかしながら、上記従来例である雨樋保持装置にあっては、配管類Ｄが竪樋３と支持具２の保持部５との間に介在されるものであるため、竪樋３を取り付けた施工後には配管類Ｄを配設することが困難になるものであった。すなわち、竪樋３を取り付けた施工後に配管類Ｄを配設する場合には、竪樋３を支持具２の保持部５から取り外して施工し直さなければならず、また、既に配設されている配管類Ｄを取り替えたり取り外したりする場合にも同様に困難となるものであった。
【０００５】
一般に、建物が新築される場合には、外壁や屋根や竪樋３を含む雨樋などの外回り工事の後に空調機などの設備機器の設置工事が行われるものであり、このような工事段取りの面からも配管類Ｄを竪樋３と支持具２の保持部５との間に介在させる構造は不都合となるものであった。また、既存の建物に空調機などの設備機器を設置する場合にも、竪樋３は既に取り付けられていてこれを取り外して施工し直さなければならず、配管類Ｄを竪樋３と支持具２の保持部５との間に介在させる構造が不都合となるものであった。
【０００６】
本願発明は、上記背景技術に鑑みてなされたもので、その課題は、ダクトやケーブルのような配管類を竪樋に沿ってその後側に隠して体裁良く配設することができ、建物外壁を煩雑にならないよう外観良く納めることができ、竪樋が既に施工された後であっても、竪樋を支持具から取り外して施工し直す必要はなく、同配管類を簡単に配設することができる竪樋装置を提供することである。
【課題を解決するための手段】
【０００７】
上記課題を解決するために、本願請求項１記載の発明では、建物外壁に支持具を介し竪樋を取り付けて同建物外壁と竪樋との間に配管スペースを形成し、この配管スペースの両側方開口を開閉する蓋板を前記支持具に着脱自在に付設してなる竪樋装置としたものである。
【０００８】
また、本願請求項２記載の発明では、請求項１記載の竪樋装置において、竪樋を保持する保持部とこの保持部から後方へ突設されて建物外壁に固定される取付脚部とで支持具が形成され、この支持具の取付脚部に対して蓋板が着脱自在に付設されるようになしたことを特徴とするものである。
【０００９】
また、本願請求項３記載の発明では、請求項２記載の竪樋装置において、支持具の取付脚部に交差してその両側方へ突出する連結バー材を取り付け、この連結バー材の両側方端に係止受け部を形成し、蓋板の裏面中程に上下長手方向にわたる係止部を形成して、この係止部を同係止受け部に着脱自在に係合させることにより、前記取付脚部に対して蓋板が着脱自在に付設されるようになしたことを特徴とするものである。
【００１０】
また、本願請求項４記載の発明では、請求項２記載の竪樋装置において、蓋板の裏面中程に上下長手方向で間隔をあけて複数の結合バー材を裏方へ突設し、各結合バー材の裏方先端に係着部を形成して、この係着部を支持具の取付脚部に着脱自在に係合させることにより、同取付脚部に対して蓋板が着脱自在に付設されるようになしたことを特徴とするものである。
【発明の効果】
【００１１】
本願請求項１記載の発明である竪樋装置においては、建物外壁と竪樋との間に形成される配管スペース内に空調機などのダクトやケーブルのような配管類を納めて配設することができ、同配管スペースの両側方開口は蓋板によって覆い塞がれるので、同配管類を竪樋に沿ってその後側に隠して体裁良く配設することができ、建物外壁を煩雑にならないよう外観良く納めることができる。
【００１２】
しかも、前記蓋板は支持具に着脱自在に付設されて開閉自在なものであるため、竪樋が既に施工された後であっても、竪樋を支持具から取り外して施工し直す必要はなく、前記配管類を配管スペース内に配設し同蓋板を閉じて簡単に施工することができる。また、蓋板を開けて配管類を除去したり、蓋板を開閉して同配管類を取り替えたり、配管類が配設されない場合には、蓋板を使用せずに施工したりすることもでき、使い勝手が良くて施工性に優れる。
【００１３】
また、本願請求項２記載の発明である竪樋装置においては、特に、竪樋を保持する保持部から後方へ突設されて建物外壁に固定される取付脚部に対して蓋板が着脱自在に付設されるため、この蓋板は建物外壁に近い部位で強固に支持されるように付設され、同蓋板の着脱作業が竪樋の保持に悪影響を及ぼすこともない。
【００１４】
また、本願請求項３記載の発明である竪樋装置においては、特に、支持具の取付脚部に別部材である連結バー材を介して蓋板が付設されるので、蓋板を連結バー材とは別体で単純な形状にして容易に成形することができ、蓋板と連結バー材と支持具を分解された状態に小部材化することもできる。また、連結バー材は支持具の取付脚部に交差してその両側方へ突出するように取り付けられるので、この両側に蓋板がバランス良く支持される。
【００１５】
しかも、この場合、蓋板の裏面中程に上下長手方向にわたって形成された係止部を連結バー材の両側方端に形成された係止受け部に着脱自在に係合させることにより、取付脚部に対して蓋板が着脱自在に付設されるので、係止部の上下長手方向の適宜位置でこれを連結バー材の係止受け部に着脱自在に係合させて、上下に複数配置される支持具に対しても簡単に適合させることができる。
【００１６】
また、本願請求項４記載の発明である竪樋装置においては、特に、蓋板がその裏面中程に突設される結合バー材によって支持具の取付脚部に対して直接的に付設されるので、同蓋体は確実に支持される。しかも、この場合、蓋板の裏面中程に上下長手方向で間隔をあけて複数の結合バー材が裏方へ突設され、各結合バー材の裏方先端に形成された係着部を取付脚部に着脱自在に係合させることにより、取付脚部に対して蓋板が着脱自在に付設されるので、結合バー材の上下間隔と上下に複数配置される支持具の配置間隔とを対応させて、同複数配置される支持具に対しても確実に適合させることができる。
【発明を実施するための最良の形態】
【００１７】
図１、２は、本願請求項１〜３に対応した一実施形態を示している。この実施形態の竪樋装置は、建物外壁１に支持具２を介し竪樋３を取り付けて同建物外壁１と竪樋３との間に配管スペースＳを形成し、この配管スペースＳの両側方開口を開閉する蓋板４を前記支持具２に着脱自在に付設してなる。
【００１８】
この実施形態の竪樋装置では、竪樋３を保持する保持部５とこの保持部５から後方へ突設されて建物外壁１に固定される取付脚部６とで支持具２が形成され、この支持具２の取付脚部６に対して蓋板４が着脱自在に付設される。また、この場合、支持具２の取付脚部６に交差してその両側方へ突出する連結バー材７を取り付け、この連結バー材７の両側方端に係止受け部８を形成し、蓋板４の裏面中程に上下長手方向にわたる係止部９を形成して、この係止部９を同係止受け部８に着脱自在に係合させることにより、前記取付脚部６に対して蓋板４が着脱自在に付設される。
【００１９】
以下、この実施形態の竪樋装置をより具体的詳細に説明する。この実施形態の竪樋装置において、竪樋３は断面略四角形の角筒形状で各角部分に面取り状段部１２が設けられたものであり、合成樹脂、金属、或いは、合成樹脂と金属との複合材料などで形成されたものである。そして、竪樋３を保持する保持部５とこの保持部５から後方へ突設されて建物外壁１に固定される取付脚部６とでなる支持具２の同保持部５は、前記竪樋３の外周形状に沿って角型の環状に形成され、前記竪樋３の各面取り状段部１２に対応して傾斜辺部１３が設けられている。
【００２０】
また、保持部５は後部材５ａと前部材５ｂとに分割形成されており、後部材５ａと前部材５ｂとの対応する一端同士が枢支軸部１４を介して回動自在に連結され、後部材５ａに対して前部材５ｂは開閉回動される。後部材５ａと前部材５ｂとの対応する他端には係止凸部１５と係止凹部１６とが配設されており、同係止凸部１５と係止凹部１６とが着脱自在に係合されることで、後部材５ａに対して前部材５ｂが閉じられた状態は保持され、着脱されて開閉自在となる。なお、後部材５ａ及び前部材５ｂは帯板状で、弾性に富んだ合成樹脂で形成されることが好ましいが、金属、或いは、合成樹脂と金属との複合材料などで形成されてもよい。
【００２１】
前記保持部５から後方へ突設されて建物外壁１に固定される取付脚部６も帯板状で、合成樹脂で前記保持部５と一体に形成されることが好ましいが、金属、或いは、合成樹脂と金属との複合材料などで形成されて前記保持部５に固着されるものであってもよい。取付脚部６は、前後方向の水平片部６ａと、この水平片部６ａの前端に垂設される前片部６ｂと、同水平片部６ａの後端に立設される後片部６ｃと、でなる。そして、この取付脚部６では、前片部６ｂが前記保持部５の後部材５ａと一体となって水平片部６ａが後方へ突設されており、後片部６ｃに穿設された取付用孔１７に挿通されるネジや釘などの固着具１８によって建物外壁１に固定される。
【００２２】
連結バー材７は前記取付脚部６の水平片部６ａに交差して取り付けられるもので、弾性に富んだ合成樹脂で形成されることが好ましいが、金属、或いは、合成樹脂と金属との複合材料などで形成されてもよい。ここでは、連結バー材７は弾性に富んだ合成樹脂で一体に形成されており、その中程下方に対向して弾性挟持片１９が垂設されている。この両弾性挟持片１９が取付脚部６の水平片部６ａの両側縁に引っ掛けられることで、連結バー材７は同水平片部６ａに交差した状態で着脱自在に取り付け固定される。連結バー材７の両側方端には、球状に拡大した係止受け部８が一体に形成されている。
【００２３】
蓋板４は上下方向に長い帯板状で、その裏面中程に上下長手方向にわたる係止部９が一体に形成されている。この係止部９は両側の凸条間に断面略円弧状の溝として形成されており、前記連結バー材７の球状の係止受け部８が着脱自在に係合される。この場合、連結バー材７は支持具２に対応して所定の位置に取り付け固定されるが、上下長手方向にわたる溝状の係止部９をその適宜位置にて同連結バー材７の球状の係止受け部８に着脱自在に係合させることができ、これによって蓋板４は前記取付脚部６に対し着脱自在に付設される。なお、蓋板４は弾性に富んだ合成樹脂で押出成形されることが好ましいが、金属、或いは、合成樹脂と金属との複合材料などで形成されてもよい。
【００２４】
したがって、この実施形態の竪樋装置においては、建物外壁１と竪樋３との間に形成される配管スペースＳ内に空調機などのダクト２０やケーブル２１のような配管類Ｄを納めて配設することができ、同配管スペースＳの両側方開口は蓋板４によって覆い塞がれるので、同配管類Ｄを竪樋３に沿ってその後側に隠して体裁良く配設することができ、建物外壁１を煩雑にならないよう外観良く納めることができる。そして、配管スペースＳ内に収容される配管類Ｄは、支持具２の取付脚部６の左右或いは連結バー材７の前後に振り分けられ保持された状態で整然と配設される。
【００２５】
しかも、前記蓋板４は支持具２に着脱自在に付設されて開閉自在なものであるため、竪樋３が既に施工された後であっても、竪樋３を支持具２から取り外して施工し直す必要はなく、前記配管類Ｄを配管スペースＳ内に配設し同蓋板４を閉じて簡単に施工することができる。また、蓋板４を開けて配管類Ｄを不要となる際に除去したり、蓋板４を開閉して同配管類Ｄを取り替えたり、配管類Ｄが配設されない場合には、蓋板４を使用せずに施工したりすることもでき、使い勝手が良くて施工性に優れる。更に、竪樋３を保持する保持部５から後方へ突設されて建物外壁１に固定される取付脚部６に対して蓋板４が着脱自在に付設されるため、この蓋板４は建物外壁１に近い部位で強固に支持されるように付設され、同蓋板４の着脱作業が竪樋３の保持に悪影響を及ぼすこともない。
【００２６】
また、この実施形態の竪樋装置においては、支持具２の取付脚部６に別部材である連結バー材７を介して蓋板４が付設されるので、蓋板４を連結バー材７とは別体で単純な帯板状にして容易に押出成形することができ、蓋板４と連結バー材７と支持具２を分解された状態に小部材化することもできて梱包、輸送に好適なものとなる。また、連結バー材７は支持具２の取付脚部６に交差してその両側方へ突出するように取り付けられるので、この両側に蓋板４がバランス良く確実に支持される。
【００２７】
しかも、この場合には、蓋板４の裏面中程に上下長手方向にわたって形成された係止部９を連結バー材７の両側方端に形成された係止受け部８に着脱自在に係合させることにより、取付脚部６に対して蓋板４が着脱自在に付設されるので、係止部９の上下長手方向の適宜位置でこれを連結バー材７の係止受け部８に着脱自在に係合させて、建物外壁１において上下に複数配置される支持具２に対しても簡単に適合させることができる。また、蓋板４はこれと竪樋３の外側壁とが略面一状に連続するよう付設され、その際、竪樋３の後側の両面取り状段部１２及び支持具２の傾斜辺部１３も覆い隠されるので、施工仕上がり外観は良好となる。
【００２８】
図３、４は、本願請求項１、２、４に対応した別の実施形態を示している。この実施形態の竪樋装置では、蓋板４の裏面中程に上下長手方向で所定の間隔をあけて複数の結合バー材１０を裏方へ突設し、各結合バー材１０の裏方先端に係着部１１を形成して、この係着部１１を支持具２の取付脚部６に着脱自在に係合させることにより、同取付脚部６に対して蓋板４が着脱自在に付設される。この場合、結合バー材１０は蓋板４の巾方向中央から片側へずれた位置に突設されており、同じ蓋板４でも結合バー材１０が相互に干渉しないように支持具２の両側に同蓋板４を付設することができる。
【００２９】
また、結合バー材１０は蓋板４の裏面に固着一体化されており、その先端部から基部にかけて水平なスリット２４が形成され、このスリット２４の先端両内側縁には係着部１１となる上下で対の係止凸起２５が突設されている。そして、スリット２４が支持具２の取付脚部６の水平片部６ａにその一側方から挿合され、結合バー材１０の先端部が同水平片部６ａの他側方縁から突出すると、上下の係止凸起２５が同他側方縁に弾性的に引っ掛けられ、これによって蓋板４は取付脚部６に対し着脱自在に付設される。
【００３０】
また、この実施形態の竪樋装置では、竪樋３が断面略四角形の角筒形状で、その両側壁には内方へ湾曲突出した溝条部２２が設けられている。そして、支持具２の保持部５は前方へ開口した略コ字型に形成され、その両先端部分に内方へ突出した係合凸部２３が形成されている。この場合、竪樋３は保持部５に前方から嵌め込まれ、その両側で溝条部２２に係合凸部２３が係合されて取り付け保持される。また、支持具２の取付脚部６の後片部６ｃには、固着具１８を挿通させる取付用孔１７が二つ穿設されている。
【００３１】
したがって、この実施形態の竪樋装置においては、蓋板４がその裏面中程に突設される結合バー材１０によって支持具２の取付脚部６に対して直接的に付設されるので、同蓋体４は確実に支持される。しかも、この場合、蓋板４の裏面中程に上下長手方向で間隔をあけて複数の結合バー材１０が裏方へ突設され、各結合バー材１０の裏方先端に形成された係着部１１を取付脚部６に着脱自在に係合させることにより、取付脚部６に対して蓋板４が着脱自在に付設されるので、結合バー材１０の上下間隔と建物外壁１において上下に複数配置される支持具２の配置間隔とを対応させて、この複数配置される支持具２に対しても確実に適合させることができる。なお、それ以外は上記実施形態と同様に構成されており、上記実施形態におけると同様の作用効果が奏される。
【図面の簡単な説明】
【００３２】
【図１】本願発明の一実施形態である竪樋装置を示す水平断面図。
【図２】同竪樋装置の要部を示す分解斜視図。
【図３】本願発明の別の実施形態である竪樋装置を示す水平断面図。
【図４】同竪樋装置の要部を示す分解斜視図。
【図５】従来例である雨樋保持装置を示す水平断面図。
【符号の説明】
【００３３】
１  建物外壁
２  支持具
３  竪樋
４  蓋板
５  保持部
６  取付脚部
７  連結バー材
８  係止受け部
９  係止部
１０  結合バー材
１１  係着部
Ｓ  配管スペース
【図１】
2008121326.tif 000003
【図２】
2008121326.tif 000004
【図３】
2008121326.tif 000005
【図４】
2008121326.tif 000006
【図５】
2008121326.tif 000007